(57)【特許請求の範囲】
【請求項１】
浴槽であって、
底壁と上部の縁まで延在する側壁を有する、入浴用水ため槽と、
前記上部の縁から流れ落ちる水を集水するよう、前記水ため槽の周囲の少なくとも大部分の周りに放射状に外側に向かって配置され、前記水ため槽の前記上部の縁が当該越流水槽の最上部よりも高く、前記水ため槽の前記上部の縁の下方及び前記水ため槽の前記底壁の上方において間隔をあけられて配置された底壁を有する越流水槽と、
前記越流水槽と前記水ため槽との間に流体連通を提供する導管と、及び
前記越流水槽から前記水ため槽に前記導管を介して水を流すポンプと、
を有する、
浴槽。
【請求項２】
浴槽であって、
底壁と上部の縁まで延在する側壁とを有する、入浴用水ため槽と、
前記上部の縁から流れ落ちる水を集水するよう、前記水ため槽の周囲の少なくとも大部分の周りに放射状に外側に向かって配置される越流水槽と、
前記越流水槽と前記水ため槽との間で流体連通を提供する導管と、
前記越流水槽から前記水ため槽に前記導管を介して水を流すポンプと、
前記水ため槽の下側に取り付けられた調節可能な水平足と、
を有し、
少なくとも１つの前記水平足は、
クリアランス開口部を有し、前記水ため槽の下側に取り付けた据え付けブロックと、
前記据え付けブロックの前記クリアランス開口部と連携するネジ孔を有し、前記据え付けブロックに設置されたプレートと、
前記ネジ孔と噛み合うサイズのネジ棒を延在させる基部を有するヒールと、
を有し、
前記水平足の前記ヒールは前記プレートに関して垂直に移動され得、
前記水ため槽の前記上部の縁は、前記越流水槽の最上部よりも高い、
浴槽。
【請求項３】
浴槽であって、
底壁と上部の縁まで延在する側壁とを有する、入浴用水ため槽と、
前記上部の縁から流れ落ちる水を集水するよう、前記水ため槽の周囲の少なくとも大部分の周りに放射状に外側に向かって配置される越流水槽と、
前記越流水槽と前記水ため槽との間で流体連通を提供する導管と、
前記越流水槽から前記水ため槽に前記導管を介して水を流すポンプと、
前記水ため槽の前記底壁の排水開口部に配置される排水プラグを操作する排水制御と、
を有し、
前記排水制御は前記越流水槽の内部の側壁に設置され、
前記水ため槽の前記上部の縁は、前記越流水槽の最上部よりも高い、
浴槽。
【請求項４】
浴槽であって、
底壁と上部の縁まで延在する側壁とを有する、入浴用水ため槽と、
前記上部の縁から流れ落ちる水を集水するよう、前記水ため槽の周囲の少なくとも大部分の周りに放射状に外側に向かって配置される越流水槽と、
前記越流水槽と前記水ため槽との間で流れを提供する導管と、
前記越流水槽から前記水ため槽に前記導管を介して水を流すポンプと、
前記水ため槽内の前記水位が選択された第1のレベルを下回るか、あるいは前記越流水槽の前記水位が選択された第２のレベルを下回る場合に前記ポンプが作動しないよう、前記ポンプに電気的に接続される水位感知システムと
を有し、
前記水ため槽の前記上部の縁は、前記越流水槽の最上部よりも高い、
浴槽。
【請求項５】
浴槽であって、
底壁と上部の縁まで延在する側壁とを有する、入浴用水ため槽と、
前記上部の縁から流れ落ちる水を集水するよう、前記水ため槽の周囲の少なくとも大部分の周りに放射状に外側に向かって配置される越流水槽と、
前記越流水槽と前記水ため槽との間で流体連通を提供する導管と、
前記越流水槽から前記水ため槽に前記導管を介して水を流すポンプと、
前記水ため槽内の水を有色光で照射するクロマセラピーシステムと、
を有し、
前記クロマセラピーシステムは多色であり、回転式カラーホイール形状のスペクトルフィルタを有し、
前記水ため槽の前記上部の縁は、前記越流水槽の最上部よりも高い、
浴槽。
【請求項６】
浴槽であって、
底壁と上部の縁まで延在する側壁とを有する、入浴用水ため槽と、
前記上部の縁から流れ落ちる水を集水するよう、前記水ため槽の周囲の少なくとも大部分の周りに放射状に外側に向かって配置される越流水槽と、
前記越流水槽と前記水ため槽との間で流れを提供する導管と、
前記越流水槽から前記水ため槽に前記導管を介して水を流すポンプと、
前記水ため槽内の水を有色光で照射するクロマセラピーシステムと、
を有し、
前記クロマセラピーシステムは、前記水ため槽内の水が一対の水ため槽センサーと電気的に接する際に、前記水ため槽のみを照射し、
前記水ため槽の前記上部の縁は、前記越流水槽の最上部よりも高い、
浴槽。
【発明の詳細な説明】
【０００１】
発明の背景
本発明は浴槽に関し、特に、深い水ため槽及び美的に優れた水の連続的な越流を提供するために再循環水を使用する、入浴における良好な漬かりを提供する浴槽（ｓｏａｋｅｒ  ｂａｔｈ  ｔｕｂｓ）に関する。
【０００２】
従来の浴槽の水ため槽は、一般的に、平均的な大人よりも短い。したがって、大人の入浴者は、通常は水ため槽内に座るか、又は水ため槽内で膝を曲げ、水ため槽の背もたれに対して上体を寄りかけて横になる。一般的に、従来の水ため槽は非常に浅いので、入浴する場合、大人の入浴者の身体上部は完全に水上に出る。入浴者は位置を変えることができ、その結果、彼等の身体上部は水面下に沈むが、しかし、入浴者の脚又は脇部分は水の外に出るだろう。
【０００３】
したがって、入浴における良好な漬かりを提供する浴槽は、入浴中に入浴者が一度に彼等の身体を水により沈めることを可能にするように開発されている。さらに深い水ため槽とはいえ、かかる浴槽は、従来の浴槽と全面的な大きさ及び形状において類似している。しかしながら、さらにかかる浴槽は、水ため槽の上部から数インチ下方に越流出口を備えて提供される。どんなに深い水ため槽で、かかる浴槽を使用する場合であっても、入浴中に不必要な身体上部は未だに水ため槽から突出する。
【０００４】
入浴の漬かる水の深さとは別に、さらに入浴における美的な多様性が望ましい。
【０００５】
発明の概要
本発明は、上部の縁まで延在する底壁及び側壁を備えた水ため槽を有する浴槽に関する。上部の縁から流れ落ちる水を集水する、ある高さで、水ため槽の周囲の少なくとも大部分（好ましくは、８０％、９０％、又はさらに１００％）の周りで放射状に外側に配置された越流水槽がある。さらに越流水槽と水ため槽との間の流れを提供する導管、及び、導管を介して越流水槽から水ため槽に水を導出するための導管に関するポンプがある。
【０００６】
好ましい形状において、水ため槽の上部の縁が、越流水槽の最上部より高く、さらに、水ため槽の底部は座席領域で形成される。さらに、水ため槽の下側へ取り付けられた調節可能な水平足が存在する。各水平足は、クリアランス開口部を有する、水ため槽の下部に取り付けられた据え付けブロックを有する。据え付けブロックに設置されたプレートが存在し、据え付けブロックのクリアランス開口部と連携するネジ孔を有する。水平足のヒールがプレートに関して垂直に移動できるように、ヒールはネジ孔と噛み合うサイズのネジ棒を延在する基部を有する。
【０００７】
さらに、水ため槽の底壁の開口部に位置する排水プラグを操作する、排水制御がある。排水制御は、水ため槽の周辺リッジの下に直接的に（そうすることによって保護されるように）、越流水槽の内部の側壁に取り付けられる。好ましくは、ポンプは１分間に２０００回転未満の速度で（非常に静粛になるように）操作できる。
【０００８】
さらに、水ため槽内の水位が選択した第一レベルよりも下であるか、又は越流水槽の水位が選択した第二レベルよりも下である場合にポンプが作動しないように、ポンプに電気的に接続される水位感知システムがある。さらに、ポンプの吸水側に位置しており、選択的にバイパスできる、導管に接続された通気装置がある。
【０００９】
別の態様において、システムは、発光した光で水ため槽内の水を照明するためのクロマセラピーシステム（ｃｈｒｏｍａｔｈｅｒａｐｙ  ｓｙｓｔｅｍ）を有することができる。好ましくは、クロマセラピーシステムは多色であり、回転式カラーホイール形状のスペクトルフィルタを有し、水ため槽内の水が、水ため槽センサーのペアと接する場合に水ため槽だけを照明する。
【００１０】
したがって、本発明はどんな深さが与えられた水ため槽においても、より完全な身体の入浴における良好な漬かりを提供して（越流保護が水ため槽の上部より下に提供されないので）、さらにかかるシステムは入浴中に水ため槽からの水の連続的な越流を提供する。これは癒し効果があり、美的に心地好い作用を提供する。
【００１１】
入浴における良好な漬かりを提供する浴槽が最初に機能的なレベルまで一旦満たされると、建物からのさらなる水の供給は必要ではない。取り囲む越流水槽によって集水した水は、フィルタを通され、選択的に加熱され、選択的に通気され、次いでポンプを介して水ため槽に再循環して戻る。
【００１２】
可視効果の重要性は、水ため槽上部の縁において完全な３６０度での越流を保証する調節可能な水平足の設備である。これは操作中の縁自体を隠すことを支援する。入浴及び視覚的な感覚もまた、癒し効果のある色調のアレイで水ため槽内の水を着色することができるクロマセラピーシステムによって高められる。
【００１３】
水位感知システム（発光フィードバックインジケータを備える高感触性の制御によって操作される）は不十分な水位でポンプが操作することを防ぎ、すべての電子装置における自動電源切断を提供する。
【００１４】
本発明の先に述べた利点及び他の利点は、下記の詳細により明らかだろう。記載において、本記載の一部分を形成し、実施例を介して本発明の好ましい実施態様が示される添付の図面が言及される。かかる実施態様は本発明の完全な範囲を表すわけではない。したがって、請求項は発明の十分な範囲を判断するために注意するべきである。
【００１５】
好ましい実施態様の詳細な記載
最初に図１を参照するに、浴槽１０は、一般的に、水ため槽１２上を越えて流れる水を受けるための越流水槽１４によって水ため槽の上部端で放射状に囲まれた、長方形の水ため槽１２を有する。浴槽１０は、付属の栓と深度計測制御を含んでいないが、その代わり、下方に広がって囲まれた据え付け領域（見えない線で示されている）内に位置する。図６から認識されるように、浴槽が水で満たし始める場合に、水ため槽に水が落ちるように、浴槽は幾らか水源（又は水源から延在するホース）の近くに位置する。
【００１６】
水ため槽１２と越流水槽１４は、水ため槽１２及び越流水槽１４の内部の滑らかで優れた光沢仕上げを提供するために適切な物質（上面に適用されるゲルコートのファイバーガラスなど）から別々にそれぞれ成形することができる。水ため槽１２と越流水槽１４は、強力接着剤によって水ため槽１２の真下で共に接続できる。代替として、水ため槽１２と越流水槽１４は、単一構成部品として形成できる。
【００１７】
図６と図８に示されるように、好ましくは、結合表面１３は、水ため槽１２の下側の周囲に沿って形成される。結合表面は、水ため槽１２を反転させ、水ため槽１２の下側に対してフレーム状のツールを抑えつけることによって成形工程において形成される。ツールは、同一の外形を有し、越流水槽１４の内部周囲で結合する、ゲルの上塗りを施した結合表面１５としての仕上げを有する、滑らかでわずかな凸曲面を有する。
【００１８】
水ため槽の結合面１３は、水ため槽下側の他の部分より滑らかで、越流水槽の凸面結合表面１５の外形に続いている。滑らかな結合表面１３と１５は、水ため槽１２に越流水槽１４が接合して十分に強力な結合を確立するための適切な面を提供する。
【００１９】
次いで、図１、２及び６を参照するに、水ため槽１２は、底部１６、一般的に直立の側壁１８と１９、フット壁２０、及び背もたれ２２を有する。底部１６は、もたれ掛かる座席を形成する、背もたれへの座席の移り変わりである、盛り上がった座席２４を有する。入浴者は、彼等の頭をヘッド端２６に、足をフット端２８にして座るか、又はさらなる深さの第二座席位置を可能にする、彼等の頭をフット端２８にして座る。
【００２０】
側壁１８と１９、フット壁２０及び背もたれ２２は、底部１６から十分な高さに伸延し、結果として、そこに座る平均の大人の入浴者は、彼等の首まで漬かることができる。したがって、入浴における良好な漬かりを提供する浴槽１０は、従来の浴槽よりも相当に深い。好ましくは、水ため槽は、フット端で２５インチの深さであり、ヘッド端２６で２０インチの深さである。
【００２１】
水ため槽壁に越流制御が存在しないことは特に注意することである。したがって、従来の浴槽と異なり、水が縁から数インチ下より上に上昇することができないところで（越流開口部が存在するため）、浴槽の全深度は水で満たすことができる。
【００２２】
次ぎに図２、６、７及び８を参照するに、側壁１８と１９の上部、フット壁２０、及び背もたれ２２は、浴槽１０の最高地点である、水ため槽の縁３２に向かって徐々に傾斜している、凸曲面を有する。好ましくは、水ため槽３２は越流水槽１４よりも相当高く、越流水槽１４は水ため槽内の入浴者から容易に見えない。これは、水が含まれないで自由に越流しているという独特な印象を入浴者に与える。
【００２３】
凸曲面３０の傾きは、水が縁３２を容易に越えて、さらに水の深さが側壁１８と１９、フット壁２０及び背もたれ２２を曖昧にするか又は隠すことを可能にする。これらの特徴は水ため槽１２に本質的に縁がない作用を与える。加えて、縁３２は十分に狭く、浴槽１０から出入りする場合に入浴者によってつかむことができる。
【００２４】
次ぎに図１３乃至１５を参照するに、浴槽１０は、水ため槽の底部１６の下側に取り付けられた調節可能な４つの足は、浴槽１０を設置中に水平にすることができる。浴槽１０が正確に水平であり、水ため槽１２の水が縁３２のすべての部分から均一に流れ出ることが特に望ましい。水は水ため槽の縁３２の全周囲を越えて流れ落ち、“縁なし”作用が達成されることを保証し、ガラス状の表面レベルを提供する。
【００２５】
図１５に最良に示されるように、水平足３４は、グラスファイバー接着剤によって水ため槽底部１６の下側に取り付けられた据え付けブロック３６を含む。一般的に、２つはフット端２８にあり、さらに２つが盛り上がった座席２４の下にある。盛り上がった座席２４の据え付けブロック３６は、底部１６の異なる高さを補うために、フット端２８の据え付けブロックよりも高い。
【００２６】
据え付けプレート３８は、各据え付けブロック３６の底部端にしっかりと固定される。各据え付けプレート３８は、対応する据え付けブロック３６の直通する孔４２と連携して、そこを通過するネジ孔４０を有する。ネジ孔４０は、ディスク状の基部を有するヒール４６のネジ軸４４と噛み合う。各ヒール４６は、浴槽１０を水平にするようにヒール４６を進ませるか又は引いて、独立して回転できる。
【００２７】
図１、２及び６を再度参照するに、水ため槽１２は越流水槽１４によって囲まれている。一般的に、越流水槽１４は、底４８と相対する内側５０及び外側５２の側壁を有する、四角形の通路を形成する。排水制御５４は、フット端２８の内側壁５０に設置されている。排水制御５４は、縁３２から溢れ出る水の経路にないように、水ため槽１２のリップ５６の下に保護される。排水制御５４は、従来の手法で排水停止５８に機械的に接続されて、結果として、停止はフット端２８における水ため槽１２の底部１６の排水開口部６０を開閉するために上下に移動できる。
【００２８】
好ましい実施態様の越流水槽１４は、水のレベルが排水制御５４の底部の越流開口部６１に到達する前に、ほぼ４５ガロンの集水を提供する。越流はパイプ（示されていない）を介して建物の廃棄配管に接続される。越流水槽１４の底部は傾いており、そこに存在する水はフット端２８からヘッド端２６の吸水開口部６２まで流れる。
【００２９】
一の満たす手法において、水ため槽１２は、水が縁３２から越流水槽１４に流れ出るまで、水（及び入浴オイル、石鹸、又は芳香剤）で満たすことができる。越流水槽１４内の水がある高さ（下記に記載）に達すると、再循環ポンプ６４は吸水開口部６２によって越流水槽１４で水を流出するように活性化することができる。図４で最良に認識されるように、吸水開口部６２は、水が通過するための開口部と、及び水中の毛髪や他の粒子を収集し、それによって破片が再循環ポンプ６４に入り込み、水ため槽１２に再度入り込むことを防ぐためのスクリーン６６を有する取り外し可能なカバー６７によってキャップできる。スクリーン６６はまた、望まない吸水雑音を和らげる役割をすることができる。吸水開口部６２は、越流水槽１４の真下に設置されたフランジ６８につながっている。
【００３０】
通気装置７０は、再循環ポンプ６４の吸水側で、２インチのＰＶＣパイプなどの適切な導管を介して吸水フランジ６８に接続できる。描かれている通気装置７０は、水ため槽１２の下側と越流水槽１４との間で上方に垂直なＴカップラー７８で分かれている、１インチ直径のＰＶＣ導管７４の６インチ部分を含む。通気装置の導管７４の通路は、入浴者は泡立ちのない入浴における良好な漬かりの選択を有するように、電動の喋形バルブ７６によって閉じることができる。
【００３１】
導管７４の上部端は、好ましくは０．０１５インチ径の非常に小さい開口部８０を有する、キャップ７８によってカバーされる。小さい開口部８０は、小さな気泡の形状で水へ空気が流入させられることを可能にする。水ため槽１２に入る前に、気泡は、さらに小さく、再循環ポンプ５４のかきまぜ羽根によって分散される。水ため槽内に入ると、このミクロの泡立ちは、入浴者の身体にはりつき、身体表面をゆっくりとなめらかに上昇する。
【００３２】
図３乃至５を再度参照するに、再循環ポンプ６４は吸水フランジ６８と通じており、さらに導管７２を介して通気装置７０に通じている。好ましくは、再循環ポンプ６４は、ほぼ１７００ｒｐｍの１／３ｈｐモーターによって操作される、低回転のかきまぜ羽根ポンプである。この種類の好ましい再循環ポンプはアクアフローインク社（Ａｑｕａｆｌｏｗ，  Ｉｎｃ．）から得られる。
【００３３】
この種類のポンプの比較的遅い速度は、再循環ポンプ６４の静かな回転を可能にする。したがって、浴槽は、こぼれる水の音の以上に聞こえるポンプ雑音が本質的に存在しないように操作できる。
【００３４】
好ましくは、浴槽１０はまた、水ため槽１２に戻る前に再循環された水を温めるためのヒーター８２を含む。ヒーター８２は導管７２を介して再循環ポンプ６４に接続され、好ましくは、ほぼ１０３°Ｆの水温を維持するためにサーモスタットで制御される。ヒーター８２は、ヒーター要素（示されていない）が位置している、水導管を備えてインラインの金属のスリーブ（示されていない）を含む。好ましいヒーターは。１５００ワットの電源で、ハイドロクイップ（Ｈｙｄｒｏｑｕｉｐ）から市販されており購入できる。
【００３５】
図１、６、１２及び１４に最良に示されるように、水は導管７２によりヒーター８２から汲み上げられて、スプレーノズル８４のアレイにより水ため槽１２に再度入り込む。１０のスプレーノズル８４のアレイは、水ため槽の側壁１８と１９から約１／３の高さの開口部に配置されており、残りの２つは座席２４の直立壁に配置されている。ノズル８４によって強いられた水は、通常の水処理手法で水を撹拌する。
【００３６】
図１２を参照するに、浴槽１０は２つのペアの水位センサーを含み、一つのペア８６は各水ため槽１２と越流水槽１４のためのものである。越流水槽１４のセンサー８８は、より浅いフット端２８における底部４８の近くで別々におよそ８インチ間隔で配置されている。水ため槽１２のセンサー８６は、わずかにノズル８４上のフット端２８で相対する側壁１８と１９に位置する。センサー８６と８８の各ペアは、伝導性で金属の面を有し、回路の電気制御器９０（図３及び４を参照）に電気的に接続される。
【００３７】
センサー８６と８８は、非常に低い電流（１マイクロアンペアのオーダー）で操作する。水がセンサー８６と８８の水位レベルであるか又はそれ以上の場合、制御器への電気的な経路を完遂するために電流はセンサーの各ペア間に導かれる。そうでなければ、回路が開く。水を通過するために必要な電流レベルを減少するために、センサーはお互いに近隣して位置する。
【００３８】
電気制御器９０は適切な小型の処理回路類を有し、再循環ポンプ６４の隣で水ため槽１２の下側に設置される。好ましくは、浴槽１０の周囲に広がっている取り外し可能なアクセスパネルに近いように、制御器９０は他の電子装置に隣接して設置される。制御器９０は、センサー８６と８８、電動バルブをコントロールする電源スイッチ９２と光スイッチ９４、再循環ポンプ６４とクロマセラピーシステム９６（下記により詳細に記載）からの入力信号を受ける。
【００３９】
再循環ポンプ６４と通気装置７０は、側壁１８に設置され、制御器９０に電気的に接続された、電源スイッチ９２によって活性化される。好ましくは、電源スイッチ９２は高感触性であり、防水されている。さらに、電源スイッチ９２は、操作状態を示すために照明できる、リングライト９８を含む。特に、水ため槽１２と越流水槽１４の両槽からの水がセンサー８６と８８に達した場合に、リングライト９８は緑色を点滅する。
【００４０】
電源スイッチ９２を弱めると、水導管７２のポンプ横の１ペアの電動喋型バルブ（示されていない）は、通気装置７０の喋型バルブ７６と同様に開くだろう。次いで、再循環ポンプ６４と通気装置７０は操作を開始し、電源スイッチのリングライト９８が緑色で照明する。これはさらにクロマセラピーシステム９６を活性化させ、水ため槽の側壁１９に設置され制御器９０（下記に記載）に電気的に接続された光スイッチ９４のリングライト１００を青色で照明する。
【００４１】
再度電源スイッチ９２を弱めると、通気装置の喋型バルブ７６が閉じることによって通気装置７０が切られるだろう。電源スイッチ９２を４倍弱めると、ヒーター８２と再循環ポンプ６４が遮断し、水導管の喋型バルブが閉じる。このサイクルは電源スイッチ９２の追加的な活性化によって反復される。
【００４２】
水位がセンサー８６と８８ではない場合、リングライト９８は照明せず、電源スイッチ９２は不活性となるであろう。入浴者が電源スイッチ９２を弱めると、リングライト９８は、ユーザフィードバックを提供し、システムが待機中であることを示すために、（緑色ではなく）黄色に短時間点滅する。水位がセンサー８６と８８の何れか又は両ペアよりも下方に下がると、リングライト９８と１００は点滅し、再循環ポンプ６４、ヒーター８２、及び通気装置７０の電源が切れる。水ため槽１２の水位だけがセンサー８６よりも下がると、クロマセラピーシステム９６が切断される。
【００４３】
かかる自動電源切断の特徴は、誰も入浴していない場合に電子システムが活性化されることを防ぎ、それによってエネルギーコストを抑え、再循環ポンプ６４の損傷の危険性を減少する。水位がセンサーより下がる場合、システムは、水ため槽１２へ水を加えて、記載のようにスイッチ９２と９４を弱めることにより再活性化できることを注意する。
【００４４】
言及したように、浴槽はまた、入浴者に癒し効果のある視覚的な刺激作用を提供するために、水ため槽１２の水を照明するためのクロマセラピーシステム９６を含む。クロマセラピーシステム９６は、米国、カリフォルニア州、フレモント（Ｆｒｅｍｏｎｔ）のファイバースターズ社（Ｆｉｂｅｒｓｔａｒｓ）から市販されており入手可能である。図２及び９乃至１１を参照するに、かかるクロマセラピーシステム９６は、光源１０４、電動のカラーホイール１０６、光ファイバーの束１０８、４つの屈折レンズ１１０を含む。光源１０４、カラーホイール１０６、及び光ファイバーの束１０８の末端は、ヘッド端２６で越流水槽１４の下側に据え付けられた金属ボックス１１２に含まれる。
【００４５】
好ましくは、光源１０４は白熱電球のような多色光である。電球１０４は、通常でフィルター処理しない光で水を照らすことができるように、異なる色調及び付加的なフィルター処理しない部分１１６の７つの一般にパイ形状のカラーフィルタ１１４を有する、カラーホイール１０６を光が通過するために位置される。カラーホイール１０６は、各カラーフィルタ１１４とフィルター処理しない部分１１６との間でインデックスを付けることができる、ＤＣモーター１２０の回転軸１１８に取り付けされる。
【００４６】
電球１０４は、フィルター処理された光を光ファイバー束１０８の端に合焦するように位置する。好ましくは、光ファイバー束１０８は、金属ボックス１１２から各屈折レンズ１１０につながっている４つの２５本の光ファイバー１２２に分割される１００本のファイバーを含み、それらの分割された４つのうち２つはフット壁２０により設置され、さらに２つは水ため槽１２の背もたれ２２により設置される。ケーブル１２２及びレンズ１１０は、当該技術で周知のように、適切な結合プラグと光結合を容易にするソケット接続を有する。クロマセラピーシステム９６は、制御器９０によって適切に制御されている光スイッチ９９によって活性化され、各カラーフィルタ１１４及びフィルター処理しない部分１１６でわずか１０秒ほど停止する、一つ以上の回転によりカラーホイール１０６を循環するために使用できる。
【００４７】
操作において、入浴者が光スイッチ９４を弱める場合、光スイッチ９４の周りのリングライト１００は青色で照明し、電球１０４にスイッチが入る。次いで、水ため槽１２の水は、最後に使用された色に照らされるようになる。光スイッチ９４を２回弱める場合は、リングライト１００を点滅させ、カラーホイール１０６を循環するためにモーター１２０を活性化するだろう。次いで、入浴者は水が可能な色（フィルター処理されない光も含む）の各々に照らされたのを見ることができる。水が所望の色に照らされる場合、入浴者は、モータ１２０を非活性化し、かつ循環を停止するために光スイッチ９４を３回弱めることができる。光スイッチ９４を押して、再度クロマセラピーシステム９６を切る。
【００４８】
好ましい実施態様において、水位が水ため槽１２のセンサー８６より上の場合、光スイッチ９４だけが機能可能である。そのようにして、水ため槽１２の水が水ため槽センサー６６より下まで流出する場合、制御器９０はクロマセラピーシステム９６を自動的に遮断するようにプログラムされる。電源スイッチ９２と同様に光スイッチ９４は、好ましくは高感触性であり、水のはね返りによって影響されないように密封される。水ため槽１２の水がセンサー８６より下に下がり、弱められる間にクロマセラピーシステム９６が不活性である場合、さらに光スイッチ９４のリングライト１００は点滅するだろう。
【００４９】
別の発光配置が本発明の範囲を逸脱せずに使用できることは注意すべきである。例えば、光ファイバーシステム全体を各レンズの一つ以上のＬＥＤグループシステムと置換することが可能である。ＬＥＤの色が必要な色調を生じるために混合するように、ＬＥＤグループは活性化される場合に異なる色を照明するＬＥＤを含むであろう。個々のＬＥＤを別々に見ることができないように光を分散させるためにレンズカバーの内部でディフューザーフィルタを含むだろう。
【００５０】
本発明の特定の実施態様を上に記載したが、様々な修正が本発明の範囲内でなされることは当業者に明らかである。例えば、水ため槽は、水ため槽の周りに、対応する形状の水槽を伴って円形又は楕円形などの別の適切な形状となり得る。したがって、請求項は発明の十分な範囲を理解するために注意するべきである。
【００５１】
産業上適用できる可能性
ここに開示した発明は、美的に優れた連続的な越流があり、深い水位での入浴を可能にする、再循環式で入浴における良好な漬かりを提供する浴槽を提供する。
【図面の簡単な説明】
【図１】  本発明の好ましい浴槽の上部からの斜視図である。
【図２】  本発明の好ましい浴槽の上面図である。
【図３】  本発明の好ましい浴槽の正面図である。
【図４】  浴槽のヘッド端を部分的に断片化してわずかに拡大した左側の正面図である。
【図５】  浴槽のフット端の右側の正面図である。
【図６】  図２の線６−６に沿った断面図である。
【図７】  図２の線７−７に沿った断面図である。
【図８】  図７の弧８−８に沿って、拡大した断面図である。
【図９】  図１の浴槽と有用に接続する光ファイバークロマセラピー装置の斜視図である。
【図１０】  図９のクロマセラピー装置の上面図である。
【図１１】  図９のクロマセラピー装置で有用なカラーホイールの正面図である。
【図１２】  図１の浴槽の別の斜視図である。
【図１３】  調節可能な水平足に着目して、図１の浴槽を概略する底面図である。
【図１４】  水平足により着目して、さらに簡素化した、図３の同様の図である。
【図１５】  図１４の線１５−１５に沿った断面図である。
【図１６】  越流水槽に位置する排水制御を示す詳細な部分的斜視図である。
【図１】
0004663958.tif 000002
【図２】
0004663958.tif 000003
【図３】
0004663958.tif 000004
【図４】
0004663958.tif 000005
【図５】
0004663958.tif 000006
【図６】
0004663958.tif 000007
【図７】
0004663958.tif 000008
【図８】
0004663958.tif 000009
【図９】
0004663958.tif 000010
【図１０】
0004663958.tif 000011
【図１１】
0004663958.tif 000012
【図１２】
0004663958.tif 000013
【図１３】
0004663958.tif 000014
【図１４】
0004663958.tif 000015
【図１５】
0004663958.tif 000016
【図１６】
0004663958.tif 000017